(57)【要約】【課題】  発光管の副鏡固着部に応力が集中するのを回避したランプ装置を提案する。【解決手段】  一対の電極１２ａ，１２ｂが封入されたバルブ部１１と、電極１２ａ，１２ｂを先端に有した電極軸１２Ａ，１２Ｂ及び該電極軸に導通する金属泊１４ａ，１４ｂを封止しバルブ部１１から連続して形成された一対の封止部１３ａ，１３ｂとを備えた発光管１０と、封止部１３ａを固着して発光管１０から射出された光を被照明領域側に反射する主反射鏡２０と、バルブ部１１を挟んで主反射鏡２０と反射面を対向させて封止部１３ｂに固着される副鏡３０とを備え、電極軸１２Ｂの終端に対応する位置よりバルブ部１１から遠ざかる方向の封止部１３ｂの表面領域に、副鏡３０を接着剤４０で接着してなるランプ装置１。【選択図】  図１
2005309372.tif 000002
【特許請求の範囲】
【請求項１】
一対の電極が封入されたバルブ部と、前記電極を先端に有した電極軸及び前記電極軸に導通する導体箔を封止し前記バルブ部から連続して形成された一対の封止部とを備えた発光管と、
前記一対の封止部の一方を固着して前記発光管から射出された光を被照明領域側に反射する主反射鏡と、
前記バルブ部を挟んで前記一対の封止部の他方に配置され前記バルブ部から射出された光を前記主反射鏡に戻す副鏡とを備え、
前記副鏡を、前記電極軸の終端に対応する位置より前記バルブ部から遠ざかる方向の前記封止部の表面領域に接着剤で接着していることを特徴とするランプ装置。
【請求項２】
前記副鏡は、前記反射面が形成されたカップ状の反射基部と、前記反射基部から前記反射面の反射方向と反対方向に延長されて前記封止部を挿入可能に形成された筒部とを備え、前記筒部の終端部を利用して前記封止部に固着されていることを特徴とする請求項１記載のランプ装置。
【請求項３】
前記筒部が、前記反射基部の最外形部と前記筒部が固着される前記封止部の先端外形部とを結ぶ仮想線の内側に位置していることを特徴とする請求項２記載のランプ装置。
【請求項４】
光源と、前記光源から射出された光束を画像情報に応じて変調し画像を形成する光変調装置と、前記画像を投写する投写レンズとを備えたプロジェクタにおいて、前記光源として請求項１または３のいずれかに記載のランプ装置を備えたことを特徴とするプロジェクタ。
【発明の詳細な説明】
【技術分野】
【０００１】
本発明は、いわゆる副鏡を備えたランプ装置並びにそのランプ装置を備えたプロジェクタに関する。
【背景技術】
【０００２】
一対の電極が封入されたバルブ部と、その電極を先端に有した電極軸及び該電極軸に導通する導体箔を封止しバルブ部から連続して形成された一対の封止部とを備えた発光管を、主反射鏡に取り付けたランプ装置が広く知られている。また最近では、そのようなランプ装置に、バルブ部を挟んで主反射鏡と反射面を対向させて封止部の他方に副鏡を接着剤で固着したランプ装置が開示されている（例えば、特許文献１）。
【特許文献１】特開平８−３１３８２号公報
【発明の開示】
【発明が解決しようとする課題】
【０００３】
しかしながら従来は、副鏡の固着部が電極軸を封止している部分に対応した封止部の表面となっていた。そのような従来の構造にあっては、電極軸と封止部との熱膨張率の差に起因して発生する応力に、封止部と接着剤との熱膨張率の差に起因して発生する応力が加わり、発光管の副鏡固着部に応力が集中するという問題があった。
本発明は、上記課題を解決するためになされたもので、発光管の副鏡固着部に応力が集中するのを回避したランプ装置を提案すること、並びにそのランプを備えたプロジェクタを提案することを目的とする。
【課題を解決するための手段】
【０００４】
本発明のランプ装置は、一対の電極が封入されたバルブ部と、前記電極を先端に有した電極軸及び前記電極軸に導通する導体箔を封止し前記バルブ部から連続して形成された一対の封止部とを備えた発光管と、前記一対の封止部の一方を固着して前記発光管から射出された光を被照明領域側に反射する主反射鏡と、前記バルブ部を挟んで前記一対の封止部の他方に配置され前記バルブ部から射出された光を前記主反射鏡に戻す副鏡とを備え、前記副鏡を、前記電極軸の終端に対応する位置より前記バルブ部から遠ざかる方向の前記封止部の表面領域に接着剤で接着していることを特徴とする。
これによれば、熱膨張率の差に起因して電極軸と封止部との部分に発生する大きな応力域と、封止部と接着剤との部分に発生する大きな応力域とが相違して、発光管の副鏡固着部での応力集中が回避される。従って、強度的に安定したランプ装置が得られる。
【０００５】
また、前記副鏡は、前記反射面が形成されたカップ状の反射基部と、前記反射基部から前記反射面の反射方向と反対方向に延長されて前記封止部を挿入可能に形成された筒部とを備え、前記筒部の終端部を利用して前記封止部に固着されていることを特徴とする。
これによれば、副鏡の反射面をバルブ部に近接して配置しつつ、副鏡を電極軸に対応する部分から離れた封止部の表面に接着でき、副鏡の外形も小さく保つことができる。
【０００６】
なお、前記筒部が、前記反射基部の最外形部と前記筒部が固着される前記封止部の先端外形部とを結ぶ仮想線の内側に位置していることが好ましい。こうすることで、筒部による主反射鏡からの反射光の遮光を回避することが可能となる。
【０００７】
本発明のプロジェクタは、光源と、前記光源から射出された光束を画像情報に応じて変調し画像を形成する光変調装置と、前記画像を投写する投写レンズとを備えたプロジェクタにおいて、前記光源として上記の各ランプ装置を備えたことを特徴とする。このプロジェクタは、先に説明したようなランプ装置を光源としていることで、プロジェクタの品質及び寿命が向上する。
【発明を実施するための最良の形態】
【０００８】
〔ランプ装置〕
図１は本発明の実施形態に係るランプ装置１の構成を示す断面図である。このランプ装置１は、発光管１０と、主反射鏡２０と、副鏡３０とを備えてなる。
【０００９】
発光管１０は例えば高圧水銀ランプであり、石英ガラス等によって形成され、中央のバルブ部１１と、バルブ部１１の両側にバルブ部１１から連続して形成された一対の封止部１３ａ、１３ｂとを有する。バルブ部１１の内部には、水銀、希ガス及び少量のハロゲン等が封入され、放電用電極１２ａ、１２ｂが封入されている。封止部１３ａ、１３ｂには、電極１２ａ、１２ｂが先端に形成されたタングステン等からなる電極軸１２Ａ，１２Ｂと、電極軸１２Ａ，１２Ｂに導通する導体であるモリブデン等からなる金属箔１４ａ、１４ｂが密封され、金属箔１４ａ、１４ｂからは電力供給用リード（線又は端子）１５ａ，１５ｂが封止部１３ａ、１３ｂの各終端面から引き出されている。また、ここでは、封止部１３ａの端部に口金１６を設けて、漏光の防止などを図っているが、これを無くしてもよい。なお、発光管１０は高圧水銀ランプに限られるものではなく、他のランプ、例えばメタルハライドランプやキセノンランプ等でもよい。また、電極１２ａ，１２ｂが形成されている電極軸１２Ａ，１２Ｂの先端は、後述する電極軸１２Ａ，１２Ｂの終端に対して、電極軸１２Ａ，１２Ｂの始端となるものである。
【００１０】
主反射鏡２０は、回転放物面状や回転楕円面状に形成された凹面状反射面２１を有した反射基部２２と、発光管１０の一方の封止部１３ａを挿入して固定するための筒部２３を備える。筒部２３は反射面２１及び反射基部２２の中心から反射面２１の反対側に延長された筒状体であり、その内側に反射面２１の回転中心と同軸の貫通孔２４を有している。反射基部２２と筒部２３は、通常、耐熱ガラスによって一体的に漏斗状に形成されている。発光管１０は、そのバルブ部１１が主反射鏡２０の反射面２１側に来るように、封止部１３ａが主反射鏡２０の筒部２３に反射面２１側から挿入されて、接着剤４０により固着されている。
【００１１】
副鏡３０は、バルブ部１１から射出した光を反射しバルブ部１１を介して主反射鏡３０に戻す作用をなすものであり、反射面３１が形成されたカップ状の反射基部３２と、反射基部３２から反射面３１の反射方向と反対方向に延長されて封止部１３ｂを挿入可能に形成された筒部３３とを備える。この副鏡３０は、発光管１０のバルブ部１１を挟んで主反射鏡２０と互いの反射面２１，３１を対向させた状態で、発光管１０の封止部１３ｂに接着剤４０により固着されている。なお、副鏡３０の反射基部３２をバルブ部１１の外周面の近傍に位置させて、副鏡３０が主反射鏡２０からの反射光をできるだけ遮らないようにしている。また、封止部１３ｂの副鏡３０との固着部を、電極軸１２Ｂの終端に対応する位置よりバルブ部１１から遠ざかる方向にある封止部１３ｂの表面領域として、封止部１３ｂ内部の電極軸１２Ｂと封止部１３ｂ表面の副鏡３０固着領域とが、重ならないようにしている。つまり、封止部１３ｂに対する副鏡３０の固着部と、封止部１３ｂ内部の電極軸１２Ｂとが、封止部１３ｂのバルブ部１１からの延出方向に垂直な面内に共存しないように、ずれている。このため、副鏡３０の筒部３３は、バルブ部１１と封止部１３ｂとの境界付近から金属箔１４ｂの一部に重なるまでの筒長を有し、その筒部３３の終端部を固着面に利用している。以上の態様により、熱膨張率の差に起因する電極軸１２Ｂと封止部１３ｂとの部分に発生する大きな応力域と、封止部１３ｂと接着剤４０との部分に発生する大きな応力域とを相違させることができる。ただし、副鏡３０の筒部３３は、反射基部３２の最外形部と筒部３３が固着される封止部１３ｂの先端外形部とを結ぶ仮想線（図３（ｂ）参照）の内側に位置させるの好ましい。このようにすることで、筒部３３による主反射鏡２０からの反射光の遮光を回避することができるからである。
【００１２】
なお、バルブ部１１の外周面と副鏡３０の反射面との間には、光源像と反射像の位置調整ができる程度の間隔、すなわち０．２ｍｍ以上の隙間を設けるのがよい。これにより、副鏡３０で覆われている側のバルブ部１１の放熱が確保され、発光管１０の局所的な温度上昇を抑制することができる。また、副鏡３０は高温に晒されるため、例えば、低熱膨張材である石英又はネオセラムや、高熱伝導材である透光性アルミナ、サファイア、水晶、蛍石、ＹＡＧ等を利用して製作するのが好ましい。透光性アルミナとしては、例えば、「スミコランダム」が利用できる（「スミコランダム」は住友化学工業の登録商標）。
【００１３】
図２には副鏡３０が付いた発光管１０の外観図を示した。このような予め副鏡３０を取り付けた発光管１０を、主反射鏡２０に位置決め固定することにより、ランプ装置１が組み立てられる。なお、副鏡３０を発光管１０の封止部１３ｂに固着する接着剤４０や、封止部１３ａを主反射鏡２０の筒部２３に固着する接着剤４０として、シリカ系やアルミナ系の無機接着剤が利用できる。このような接着剤の具体的なものとしては、例えば「スミセラム」が上げられる（「スミセラム」は住友化学工業（株）の登録商標）。
【００１４】
次に、副鏡３０の固着部を、電極軸１２Ｂの終端に対応する位置よりバルブ部１１から遠ざかる方向にある封止部１３ｂの表面領域として、封止部１３ｂ内部の電極軸１２Ｂと封止部１３ｂ表面の副鏡３０固着領域とが、重ならないようにしたことに伴う効果を説明する。図３はそれに関する従来のランプ装置と本発明のランプ装置１とにおける効果の比較説明図である。
【００１５】
発光管１０において金属（タングステン）である電極軸１２Ｂを石英ガラスで封止する部分にはそれらの熱膨張率の差による応力が発生する。例えば、従来例の図３（ａ）に示すように、発光管１０の近傍に副鏡３０を設けようとすると、副鏡３０の端部が電極軸１２Ｂを封止している部分に対応する封止部１３ｂの表面に位置する。この場合、電極軸１２Ｂと封止部１３ｂとの熱膨張率の差に起因して発生する大きな応力域Ａと、封止部１３ｂと接着剤４０との熱膨張率の差に起因して発生する大きな応力域Ｂとが重なり、その部分で応力が集中する。
【００１６】
これに対して、ランプ装置１に対応する図３（ｂ）では、筒部３３の終端部を利用して、電極軸１２Ｂの終端よりバルブ部１１から遠ざかる方向にある封止部１３ｂの表面領域を副鏡３０の固着部としている。この場合、図示するように、電極軸１２Ｂと封止部１３ｂとの熱膨張率の差に起因して発生する大きな応力域Ａと、封止部１３ｂと接着剤４０との熱膨張率の差に起因して発生する大きな応力域Ｂとの重なりがないため、副鏡３０の固着部での応力集中が回避される。従って、発光管１０が強度的安定したものとなる。なお、この場合、副鏡３０の固着部は金属箔１４ｂが封止されている部分と重なっているが、金属泊１４ｂはその厚さが極めて薄いため、封止部１３ｂと金属泊１４ｂとの熱膨張率の差に起因する応力の影響はほとんど問題とならない。
【００１７】
以上説明したランプ装置１の光学作用は次のとおりである。すなわち、発光管１０は電極１２ａ，１２ｂの放電作用により発光し、バルブ部１１から光を射出する。バルブ部１１から射出した光のうち、主反射鏡２０側の射出光は、主反射鏡２０で反射されて被照射領域に向かう。また、発光管１０のバルブ部１１から射出した光のうち、副鏡３０側の射出光は、まず副鏡３０で反射されて主反射鏡２０に向かい、主反射鏡２０で反射されて被照射領域に向かう。従って、ランプ装置１においては、発光管１０のバルブ部１１から射出された光の大部分が利用可能となり、光の利用効率が向上する。
【００１８】
〔プロジェクタ〕
図４は本発明の実施形態に係るプロジェクタ１００の構成図である。このプロジェクタ１００は、照明光学系３００と、色光分離光学系３８０と、リレー光学系３９０と、液晶パネル４１０Ｒ，４１０Ｇ，４１０Ｂと、クロスダイクロイックプリズム４２０と、投写レンズ６００等を備えている。
【００１９】
次に、上記プロジェクタ１００の作用を説明する。
照明光学系３００は、液晶パネル４１０Ｒ，４１０Ｇ，４１０Ｂの画像形成領域をほぼ均一に照明するためのインテグレータ照明光学系であり、上述した実施形態のランプ装置１と、第１レンズアレイ３２０と、第２レンズアレイ３４０と、偏光変換素子アレイ３６０と、重畳レンズ３７０とを備える。
まず、発光管１０からの出射光は反射鏡２０、又は副鏡３０及び反射鏡２０によって被照明領域側に反射されて、凹レンズ２００に入り光の進行方向が照明光学系３００の光軸とほぼ平行に調整される。
【００２０】
平行化された光は、第１レンズアレイ３２０の各小レンズ３２１に入射し、小レンズ３２１の数に応じた複数の部分光束に分割される。さらに、第１レンズアレイ３２０を出た各部分光束は、その各小レンズ３２１にそれぞれ対応した小レンズ３４１を有してなる第２レンズアレイ３４０に入射する。
【００２１】
そして、第２レンズアレイ３４０からの出射光は、光の偏向方向を同じ種類の直線偏光光にそろえる偏光変換素子アレイ３６０に入射する。そして、偏光変換素子アレイ３６０で偏光方向が揃えられた複数の部分光束は重畳レンズ３７０に入り、そこで液晶パネル４１０Ｒ、４１０Ｇ、４１０Ｂに入射する各部分光束が、対応するパネル面上で重さなり合うように調整される。
【００２２】
重畳レンズ３７０を出た光は、反射ミラー３７２で反射された後、色光分離光学系３８０に入射する。色光分離光学系３８０は、照明光学系３００から射出された光を、赤、緑、青の３色の色光に分離する光学系であり、ダイクロイックミラー３８２，３８６と、反射ミラー３８４とを備える。
第１ダイクロイックミラー３８２は、重畳レンズ３７０から射出される光のうち赤色光成分を透過させるとともに、青色光成分と緑色光成分とを反射する。そして、赤色光成分は第１ダイクロイックミラー３８２を透過して反射ミラー３８４で反射され、フィールドレンズ４００Ｒを通って赤色光用の液晶パネル４１０Ｒに達する。また、第１ダイクロイックミラー３８２で反射された青色光成分および緑色光成分のうち緑色光成分は第２ダイクロイックミラー３８６で反射され、フィールドレンズ４００Ｇを通って緑色光用の液晶パネル４１０Ｇに達する。
【００２３】
一方、青色光成分は、第２ダイクロイックミラー３８６を透過し、リレー光学系３９０に入射する。リレー光学系３９０は、色光分離光学系３８０のダイクロイックミラー３８６を透過した青色光を液晶パネル４００Ｂまで導く機能を有する光学系であり、入射側レンズ３９２と、リレーレンズ３９６と、反射ミラー３９４，３９８とを備える。すなわち、青色光成分は、入射側レンズ３９２、反射ミラー３９４、リレーレンズ３９６、及び反射ミラー３９８を通り、さらにフィールドレンズ４００Ｂを通って青色光用の液晶パネル４１０Ｂに達する。なお、青色光にリレー光学系３９０が用いられているのは、青色光の光路長が他の色光の光路長よりも長いため、光の発散等による光の利用効率の低下を防止するためである。すなわち、入射側レンズ３９２に入射した部分光束をそのまま、フィールドレンズ４００Ｂに伝えるためである。また、リレー光学系３９０は、３つの色光のうちの青色光を通す構成としたが、赤色光等の他の色光を通す構成としてもよい。
【００２４】
続いて、３つの液晶パネル４１０Ｒ、４１０Ｇ、４１０Ｂが、そこに入射した各色光を与えられた画像情報に従って変調し、各色光の画像を形成する。なお、各液晶パネル４１０Ｒ、４１０Ｇ、４１０Ｂの光入射面側、光出射面側には、通常、偏光板が設けられている。
【００２５】
続いて、各液晶パネル４１０Ｒ、４１０Ｇ、４１０Ｂから射出された各色光の変調光は、これらの変調光を合成してカラー画像を形成する色光合成光学系としてのクロスダイクロイックプリズム４２０に入射する。クロスダイクロイックプリズム４２０には、赤色光を反射する誘電体多層膜と、青色光を反射する誘電体多層膜とが、４つの直角プリズムの界面に略Ｘ字状に形成され、これらの誘電体多層膜によって３つの色光が合成される。
そして、クロスダイクロイックプリズム４２０から射出されたカラー画像が、投写レンズ６００によってスクリーン上に拡大投写される。
【００２６】
このプロジェクタ１００は、前述したランプ装置１を備えているので、そのランプ装置１の品質向上に伴って、プロジェクタの総合的な品質及び寿命が向上する。
なお、本発明のプロジェクタ１００は、上記実施形態に限られるものではなく、その要旨を逸脱しない範囲において種々の態様において実施することが可能であり、例えば次のような変形も可能である。
【００２７】
上記実施形態では、ランプ装置１の光を複数の部分光束に分割する２つのレンズアレイ１２０，１３０を用いていたが、この発明は、このようなレンズアレイを用いないプロジェクタにも適用可能である。
上記実施形態では、透過型の液晶パネルを用いたプロジェクタを例に説明したが、本発明はこれに限定するものではなく、反射型の液晶パネルを用いたプロジェクタにも適用することが可能である。反射型の液晶パネルを用いたプロジェクタの場合、液晶パネルのみによって構成することが可能であり、一対の偏光板は不要である。また、反射型の液晶パネルを用いたプロジェクタでは、クロスダイクロイックプリズムは、照明光を赤、緑、青の３色の光に分離する色光分離手段として利用されると共に、変調された３色の光を再度合成して同一の方向に出射する色光合成手段としても利用される場合がある。また、クロスダイクロイックプリズムではなく、三角柱や四角柱状のダイクロイックプリズムを複数組み合わせたダイクロイックプリズムを用いる場合もある。反射型の液晶パネルを用いたプロジェクタにこの発明を適用した場合にも、透過型の液晶パネルを用いたプロジェクタとほぼ同様な効果を得ることができる。
また、変調装置として液晶パネルを３枚利用したプロジェクタを例に説明したが、液晶パネルを１枚、２枚、あるいは４枚以上使用する構成のプロジェクタにも、本発明は適用できる。
【００２８】
また、入射光を変調して画像を生成する光変調装置は液晶パネルに限られるものではなく、例えば、マイクロミラーを用いた装置であってもよい。さらに、本発明のランプ装置は、投写面を観察する方向から画像投写を行なう前面投写型プロジェクタ、または投写面を観察する方向とは反対側から画像投写を行なう背面投写型プロジェクタのいずれのプロジェクタにも適用可能である。
【図面の簡単な説明】
【００２９】
【図１】本発明の実施形態に係るランプ装置の構成を示す断面図。
【図２】図１のランプ装置に用いる副鏡付き発光管の外観図。
【図３】本発明のランプ装置と従来のランプ装置における効果の比較説明図。
【図４】本発明の実施形態に係るプロジェクタの構成図。
【符号の説明】
【００３０】
１…ランプ装置、１０…発光管、１１…バルブ部、１２ａ，１２ｂ…電極、１２Ａ，１２Ｂ…電極軸、１３ａ，１３ｂ…封止部、１４ａ，１４ｂ…金属箔、１５ａ，１５ｂ…リード（線又は端子）、１６…口金、２０…主反射鏡、２１…反射面、２２…反射基部、２３…筒部、２４…貫通孔、３０…副鏡、３１…副鏡の反射面、３２…副鏡の反射基部、３３…副鏡の筒部、４０…接着剤、１００…プロジェクタ、３００…照明光学系、３８０…色光分離光学系、３９０…リレー光学系、４２０…クロスダイクロイックプリズム、６００…投写レンズ。
【図１】
2005309372.tif 000003
【図２】
2005309372.tif 000004
【図３】
2005309372.tif 000005
【図４】
2005309372.tif 000006
【手続補正書】
【提出日】平成17年3月22日(2005.3.22)
【手続補正１】
【補正対象書類名】特許請求の範囲
【補正対象項目名】請求項２
【補正方法】変更
【補正の内容】
【請求項２】
前記副鏡は、反射面が形成されたカップ状の反射基部と、前記反射基部から前記反射面の反射方向と反対方向に延長されて前記封止部を挿入可能に形成された筒部とを備え、前記筒部の終端部を利用して前記封止部に固着されていることを特徴とする請求項１記載のランプ装置。
【手続補正２】
【補正対象書類名】明細書
【補正対象項目名】０００３
【補正方法】変更
【補正の内容】
【０００３】
しかしながら従来は、副鏡の固着部が電極軸を封止している部分に対応した封止部の表面となっていた。そのような従来の構造にあっては、電極軸と封止部との熱膨張率の差に起因して発生する応力に、封止部と接着剤との熱膨張率の差に起因して発生する応力が加わり、発光管の副鏡固着部に応力が集中するという問題があった。
本発明は、上記課題を解決するためになされたもので、発光管の副鏡固着部に応力が集中するのを回避したランプ装置を提案すること、並びにそのランプ装置を備えたプロジェクタを提案することを目的とする。
【手続補正３】
【補正対象書類名】明細書
【補正対象項目名】００１１
【補正方法】変更
【補正の内容】
【００１１】
副鏡３０は、バルブ部１１から射出した光を反射しバルブ部１１を介して主反射鏡２０に戻す作用をなすものであり、反射面３１が形成されたカップ状の反射基部３２と、反射基部３２から反射面３１の反射方向と反対方向に延長されて封止部１３ｂを挿入可能に形成された筒部３３とを備える。この副鏡３０は、発光管１０のバルブ部１１を挟んで主反射鏡２０と互いの反射面２１，３１を対向させた状態で、発光管１０の封止部１３ｂに接着剤４０により固着されている。なお、副鏡３０の反射基部３２をバルブ部１１の外周面の近傍に位置させて、副鏡３０が主反射鏡２０からの反射光をできるだけ遮らないようにしている。また、封止部１３ｂの副鏡３０との固着部を、電極軸１２Ｂの終端に対応する位置よりバルブ部１１から遠ざかる方向にある封止部１３ｂの表面領域として、封止部１３ｂ内部の電極軸１２Ｂと封止部１３ｂ表面の副鏡３０固着領域とが、重ならないようにしている。つまり、封止部１３ｂに対する副鏡３０の固着部と、封止部１３ｂ内部の電極軸１２Ｂとが、封止部１３ｂのバルブ部１１からの延出方向に垂直な面内に共存しないように、ずれている。このため、副鏡３０の筒部３３は、バルブ部１１と封止部１３ｂとの境界付近から金属箔１４ｂの一部に重なるまでの筒長を有し、その筒部３３の終端部を固着面に利用している。以上の態様により、熱膨張率の差に起因する電極軸１２Ｂと封止部１３ｂとの部分に発生する大きな応力域と、封止部１３ｂと接着剤４０との部分に発生する大きな応力域とを相違させることができる。ただし、副鏡３０の筒部３３は、反射基部３２の最外形部と筒部３３が固着される封止部１３ｂの先端外形部とを結ぶ仮想線（図３（ｂ）参照）の内側に位置させるの好ましい。このようにすることで、筒部３３による主反射鏡２０からの反射光の遮光を回避することができるからである。
【手続補正４】
【補正対象書類名】明細書
【補正対象項目名】００２３
【補正方法】変更
【補正の内容】
【００２３】
一方、青色光成分は、第２ダイクロイックミラー３８６を透過し、リレー光学系３９０に入射する。リレー光学系３９０は、色光分離光学系３８０のダイクロイックミラー３８６を透過した青色光を液晶パネル４１０Ｂまで導く機能を有する光学系であり、入射側レンズ３９２と、リレーレンズ３９６と、反射ミラー３９４，３９８とを備える。すなわち、青色光成分は、入射側レンズ３９２、反射ミラー３９４、リレーレンズ３９６、及び反射ミラー３９８を通り、さらにフィールドレンズ４００Ｂを通って青色光用の液晶パネル４１０Ｂに達する。なお、青色光にリレー光学系３９０が用いられているのは、青色光の光路長が他の色光の光路長よりも長いため、光の発散等による光の利用効率の低下を防止するためである。すなわち、入射側レンズ３９２に入射した部分光束をそのまま、フィールドレンズ４００Ｂに伝えるためである。また、リレー光学系３９０は、３つの色光のうちの青色光を通す構成としたが、赤色光等の他の色光を通す構成としてもよい。
【手続補正５】
【補正対象書類名】明細書
【補正対象項目名】００２７
【補正方法】変更
【補正の内容】
【００２７】
上記実施形態では、ランプ装置１の光を複数の部分光束に分割する２つのレンズアレイ３２０，３４０を用いていたが、この発明は、このようなレンズアレイを用いないプロジェクタにも適用可能である。
上記実施形態では、透過型の液晶パネルを用いたプロジェクタを例に説明したが、本発明はこれに限定するものではなく、反射型の液晶パネルを用いたプロジェクタにも適用することが可能である。反射型の液晶パネルを用いたプロジェクタの場合、液晶パネルのみによって構成することが可能であり、一対の偏光板は不要である。また、反射型の液晶パネルを用いたプロジェクタでは、クロスダイクロイックプリズムは、照明光を赤、緑、青の３色の光に分離する色光分離手段として利用されると共に、変調された３色の光を再度合成して同一の方向に出射する色光合成手段としても利用される場合がある。また、クロスダイクロイックプリズムではなく、三角柱や四角柱状のダイクロイックプリズムを複数組み合わせたダイクロイックプリズムを用いる場合もある。反射型の液晶パネルを用いたプロジェクタにこの発明を適用した場合にも、透過型の液晶パネルを用いたプロジェクタとほぼ同様な効果を得ることができる。
また、変調装置として液晶パネルを３枚利用したプロジェクタを例に説明したが、液晶パネルを１枚、２枚、あるいは４枚以上使用する構成のプロジェクタにも、本発明は適用できる。